(57)【要約】【課題】  チケットを団体購入可能としつつ、団体購入ができなかった場合においても個人購入が容易に可能となるチケット販売システムを提供すること。【解決手段】  団体購入受付サーバが、購入参加希望情報記憶手段に記憶された購入参加希望情報の数が団体チケットを購入可能な所定の数に満たない場合に、所定の施設にて利用可能な個人チケットの購入を募集する個人チケット購入募集情報を利用者端末に通知する個人チケット購入募集手段と、この個人チケット購入募集情報に対する個人チケットの購入申込情報を利用者端末から受信して、当該受信した利用者端末の利用者に対する個人チケットの販売処理を行う個人チケット販売手段と、を備えた。【選択図】図１
2006190148.tif 000002
【特許請求の範囲】
【請求項１】
所定の数以上まとめて購入することにより所定の施設において特典が受けられる団体チケットを販売する団体購入受付サーバを備え、
この団体購入受付サーバが、ネットワークを介して接続された利用者端末に対して前記団体チケットの購入募集情報を通知し、これに対する購入参加希望情報を前記利用者端末から受信して購入参加希望情報記憶手段に記憶し、この記憶された購入参加希望情報の数が前記団体チケットを購入可能な前記所定の数を超えている場合に前記団体チケットの販売処理を行う団体チケット販売手段を備えたチケット販売システムであって、
前記団体購入受付サーバが、
前記購入参加希望情報記憶手段に記憶された前記購入参加希望情報の数が前記団体チケットを購入可能な前記所定の数に満たない場合に、前記所定の施設にて利用可能な個人チケットの購入を募集する個人チケット購入募集情報を前記利用者端末に通知する個人チケット購入募集手段と、
この個人チケット購入募集情報に対する前記個人チケットの購入申込情報を前記利用者端末から受信して、当該受信した前記利用者端末の利用者に対する前記個人チケットの販売処理を行う個人チケット販売手段と、
を備えたことを特徴とするチケット販売システム。
【請求項２】
前記団体購入受付サーバが、
前記利用者端末のアドレス情報を含む前記利用者ごとの利用者情報を記憶する利用者情報記憶手段を備えると共に、
前記個人チケット購入募集手段が、前記利用者情報記憶手段に記憶された前記利用者情報に基づいて前記利用者端末に前記個人チケット購入募集情報を通知する、ことを特徴とする請求項１記載のチケット販売システム。
【請求項３】
前記団体購入受付サーバが有する団体チケット販売手段が、前記利用者情報記憶手段に記憶された前記利用者情報に基づいて前記利用者端末に前記団体チケットの購入募集情報を通知する、ことを特徴とする請求項２記載のチケット販売システム。
【請求項４】
前記個人チケット購入募集手段が、前記団体チケットの前記購入参加希望情報を受信した前記利用者端末に対して前記個人チケット購入募集情報を通知する、ことを特徴とする請求項１，２又は３記載のチケット販売システム。
【請求項５】
前記団体購入受付サーバが有する前記個人チケット販売手段は、前記利用者情報記憶手段に記憶された前記利用者情報に基づいて前記利用者端末に対して前記個人チケットを送信する、ことを特徴とする請求項１，２，３又は４記載のチケット販売システム。
【請求項６】
前記団体購入受付サーバに接続された前記個人チケットを発行するチケットセンター端末を備え、
前記団体購入受付サーバが有する前記個人チケット販売手段が、前記チケットセンター端末に対して前記利用者情報を送信すると共に前記個人チケットの発行依頼処理を行い、
前記チケットセンター端末が、前記団体購入受付サーバからの前記個人チケット発行依頼に応じて前記送信された利用者情報に基づいて前記利用者端末に対して前記個人チケットを送信する個人チケット発行手段を備えた、ことを特徴とする請求項１，２，３又は４記載のチケット販売システム。
【請求項７】
所定の数以上まとめて購入することにより所定の施設において特典が受けられる団体チケットを販売する団体購入受付サーバであって、
ネットワークを介して接続された利用者端末に対して前記団体チケットの購入募集情報を通知し、これに対する購入参加希望情報を前記利用者端末から受信して購入参加希望情報記憶手段に記憶し、この記憶された購入参加希望情報の数が前記団体チケットを購入可能な前記所定の数を超えている場合に前記団体チケットの販売処理を行う団体チケット販売手段を備えると共に、
前記購入参加希望情報記憶手段に記憶された前記購入参加希望情報の数が前記団体チケットを購入可能な前記所定の数に満たない場合に、前記所定の施設にて利用可能な個人チケットの購入を募集する個人チケット購入募集情報を前記利用者端末に通知する個人チケット購入募集手段と、
この個人チケット購入募集情報に対する前記個人チケットの購入申込情報を前記利用者端末から受信して、当該受信した前記利用者端末の利用者に対する前記個人チケットの販売処理を行う個人チケット販売手段と、
を備えたことを特徴とする団体購入受付サーバ。
【請求項８】
所定の数以上まとめて購入することにより所定の施設において特典が受けられる団体チケットをコンピュータにて販売するチケット販売方法であって、
前記コンピュータが、ネットワークを介して接続された利用者端末に対して前記団体チケットの購入募集情報を通知し、これに対する購入参加希望情報を前記利用者端末から受信して購入参加希望情報記憶手段に記憶し、この記憶された購入参加希望情報の数が前記団体チケットを購入可能な前記所定の数を超えている場合に前記団体チケットの販売処理を行う、と共に、
前記購入参加希望情報記憶手段に記憶された前記購入参加希望情報の数が前記団体チケットを購入可能な前記所定の数に満たない場合に、前記所定の施設にて利用可能な個人チケットの購入を募集する個人チケット購入募集情報を前記利用者端末に通知し、
この個人チケット購入募集情報に対する前記個人チケットの購入申込情報を前記利用者端末から受信して、当該受信した前記利用者端末の利用者に対する前記個人チケットの販売処理を行う、
ことを特徴とするチケット販売方法。
【請求項９】
所定の数以上まとめて購入することにより所定の施設において特典が受けられる団体チケットを販売するコンピュータに、
ネットワークを介して接続された利用者端末に対して前記団体チケットの購入募集情報を通知し、これに対する購入参加希望情報を前記利用者端末から受信して購入参加希望情報記憶手段に記憶し、この記憶された購入参加希望情報の数が前記団体チケットを購入可能な前記所定の数を超えている場合に前記団体チケットの販売処理を行う団体チケット販売手段と、
前記購入参加希望情報記憶手段に記憶された前記購入参加希望情報の数が前記団体チケットを購入可能な前記所定の数に満たない場合に、前記所定の施設にて利用可能な個人チケットの購入を募集する個人チケット購入募集情報を前記利用者端末に通知する個人チケット購入募集手段と、
この個人チケット購入募集情報に対する前記個人チケットの購入申込情報を前記利用者端末から受信して、当該受信した前記利用者端末の利用者に対する前記個人チケットの販売処理を行う個人チケット販売手段と、
を実現するためのチケット販売用プログラム。
【発明の詳細な説明】
【技術分野】
【０００１】
本発明は、チケット販売システムにかかり、特に、ネットワークを介して団体購入を可能とするチケット販売システムに関する。また、チケット販売方法及びチケット販売用プログラムに関する。
【背景技術】
【０００２】
遊園地や美術館などの各施設に入場する際にはチケットを購入し、これを提示することが必要となる。そして、入場チケットには、所定の人数で入場することにより施設側にとってはスケールメリットが得られることから、入場料の割引など種々の特典を付加した団体チケットが用意されている。この団体チケットは、学校の遠足などのクラス単位において利用されたり、旅行会社が企画するツアーにおいて一定の人数が集まったときに利用される。
【０００３】
一方で、予め団体を構成していないユーザを募集し、集まった人数に応じて団体割引の適用を受けてチケットを購入することが可能なシステムが、下記の特許文献１に開示されている。この特許文献１に開示されているシステムでは、ネットワークを介して各ユーザの端末から団体購入を希望する区間の航空券や列車などの乗車券を指定し、これに応じて所定の人数が集まると団体チケットを購入する処理を行い、その旨をユーザの端末に通知する、というものである。
【０００４】
【特許文献１】特開２００４−１５７７８５号公報
【発明の開示】
【発明が解決しようとする課題】
【０００５】
しかしながら、上記従来例においては、飛行機や列車など所定の交通機関に対する団体購入に利用するシステムであり、団体購入にてチケットを確保することができない場合には、その対応に手間が生じうる。すなわち、団体購入が出来ない場合には別途個人にてチケットを確保しなければならず、チケットの確保の手続きに手間が生じる、とうい問題がある。特に、急遽、団体による購入が不可能となった場合には、迅速な対応が必要となるため、なおさらその対応が困難となる。
【０００６】
また、利用者が、目的地が同一であっても、団体購入を募集している交通機関を利用する予定がない場合には、上記システムを利用できず、利便性に欠ける、という問題が生じうる。
【０００７】
このため、本発明では、目的とする施設に対するチケット等を、団体購入を可能としつつ、かつ、団体購入ができなかった場合においても個人購入が容易に可能となるチケット販売システムを提供することをその目的とする。
【課題を解決するための手段】
【０００８】
そこで、本発明の一態様であるチケット販売システムは、
所定の数以上まとめて購入することにより所定の施設において特典が受けられる団体チケットを販売する団体購入受付サーバを備え、
この団体購入受付サーバが、ネットワークを介して接続された利用者端末に対して団体チケットの購入募集情報を通知し、これに対する購入参加希望情報を利用者端末から受信して購入参加希望情報記憶手段に記憶し、この記憶された購入参加希望情報の数が団体チケットを購入可能な所定の数を超えている場合に団体チケットの販売処理を行う団体チケット販売手段を備えたチケット販売システムであって、
団体購入受付サーバが、
購入参加希望情報記憶手段に記憶された購入参加希望情報の数が団体チケットを購入可能な所定の数に満たない場合に、所定の施設にて利用可能な個人チケットの購入を募集する個人チケット購入募集情報を利用者端末に通知する個人チケット購入募集手段と、
この個人チケット購入募集情報に対する個人チケットの購入申込情報を利用者端末から受信して、当該受信した利用者端末の利用者に対する個人チケットの販売処理を行う個人チケット販売手段と、
を備えたことを特徴としている。
【０００９】
上記発明によると、まず、団体購入受付サーバによって利用者端末に対して団体チケットの購入が募集され、かかる購入に参加する利用者端末から購入参加希望情報を受信して記憶する。そして、団体購入受付サーバは、記憶された購入参加希望情報の数を調べて、所定の数以上であると団体チケットの販売処理を実行する。一方、記憶された購入参加希望情報の数が団体購入可能な数に満たない場合には、団体購入受付サーバは、利用者端末に対して個人チケットの購入を募集する。これに対して利用者端末にて購入が申し込まれると、団体購入受付サーバがこれを受信して、個人チケットの販売処理を行う。従って、利用者は、購入参加希望が少なく団体チケットを購入することができない場合であっても、容易に個人チケットを購入することができ、施設への入場などを予定通り行うことができ、利便性の向上を図ることができる。また、施設側としては、チケットの販売促進を図ることができる。
【００１０】
また、団体購入受付サーバが、利用者端末のアドレス情報を含む利用者ごとの利用者情報を記憶する利用者情報記憶手段を備えると共に、個人チケット購入募集手段が、利用者情報記憶手段に記憶された利用者情報に基づいて利用者端末に個人チケット購入募集情報を通知する、ことを特徴としている。これにより、予め登録されている利用者に対してチケット販売を行うこととなるため、チケット販売の確実性の向上を図ることができる。
【００１１】
また、団体購入受付サーバが有する団体チケット販売手段が、利用者情報記憶手段に記憶された利用者情報に基づいて利用者端末に団体チケットの購入募集情報を通知する、ことを特徴としている。これにより、団体チケットの購入募集の段階から利用者情報を参照して利用者の嗜好に応じて募集が行われることとなり、団体チケットの購入が促進されると共に、所定の人数が集まらなかった場合においても、個人チケットの購入を促すことができる。
【００１２】
また、個人チケット購入募集手段が、団体チケットの購入参加希望情報を受信した利用者端末に対して個人チケット購入募集情報を通知する、ことを特徴としている。これにより、団体チケットを購入することができなかった利用者に対して個人チケットの購入が募集されるため、チケット購入確率の高い利用者に対して募集が行われることとなり、販売の向上を図ることができる。
【００１３】
また、団体購入受付サーバが有する個人チケット販売手段は、利用者情報記憶手段に記憶された利用者情報に基づいて利用者端末に対して個人チケットを送信する、ことを特徴としている。
【００１４】
さらに、団体購入受付サーバに接続された個人チケットを発行するチケットセンター端末を備え、
団体購入受付サーバが有する個人チケット販売手段が、チケットセンター端末に対して利用者情報を送信すると共に個人チケットの発行依頼処理を行い、
チケットセンター端末が、団体購入受付サーバからの個人チケット発行依頼に応じて送信された利用者情報に基づいて利用者端末に対して個人チケットを送信する個人チケット発行手段を備えた、ことを特徴としている。
【００１５】
上記構成によると、個人チケットが利用者端末に直接送信されるため、利用者は迅速に個人チケットを取得することができ、団体チケットを購入できなかった場合であっても、迅速に対応することができる。
【００１６】
また、本発明の他の形態である団体購入受付サーバは、
所定の数以上まとめて購入することにより所定の施設において特典が受けられる団体チケットを販売する団体購入受付サーバであって、
ネットワークを介して接続された利用者端末に対して団体チケットの購入募集情報を通知し、これに対する購入参加希望情報を利用者端末から受信して購入参加希望情報記憶手段に記憶し、この記憶された購入参加希望情報の数が団体チケットを購入可能な所定の数を超えている場合に団体チケットの販売処理を行う団体チケット販売手段を備えると共に、
購入参加希望情報記憶手段に記憶された購入参加希望情報の数が団体チケットを購入可能な所定の数に満たない場合に、所定の施設にて利用可能な個人チケットの購入を募集する個人チケット購入募集情報を利用者端末に通知する個人チケット購入募集手段と、
この個人チケット購入募集情報に対する個人チケットの購入申込情報を利用者端末から受信して、当該受信した利用者端末の利用者に対する個人チケットの販売処理を行う個人チケット販売手段と、
を備えたことを特徴としている。
【００１７】
また、本発明の他の形態であるチケット販売方法は、
所定の数以上まとめて購入することにより所定の施設において特典が受けられる団体チケットをコンピュータにて販売するチケット販売方法であって、
コンピュータが、ネットワークを介して接続された利用者端末に対して団体チケットの購入募集情報を通知し、これに対する購入参加希望情報を利用者端末から受信して購入参加希望情報記憶手段に記憶し、この記憶された購入参加希望情報の数が団体チケットを購入可能な所定の数を超えている場合に団体チケットの販売処理を行う、と共に、
購入参加希望情報記憶手段に記憶された購入参加希望情報の数が団体チケットを購入可能な所定の数に満たない場合に、所定の施設にて利用可能な個人チケットの購入を募集する個人チケット購入募集情報を利用者端末に通知し、
この個人チケット購入募集情報に対する個人チケットの購入申込情報を利用者端末から受信して、当該受信した利用者端末の利用者に対する個人チケットの販売処理を行う、
ことを特徴としている。
【００１８】
また、本発明の他の形態であるチケット販売用プログラムは、
所定の数以上まとめて購入することにより所定の施設において特典が受けられる団体チケットを販売するコンピュータに、
ネットワークを介して接続された利用者端末に対して団体チケットの購入募集情報を通知し、これに対する購入参加希望情報を利用者端末から受信して購入参加希望情報記憶手段に記憶し、この記憶された購入参加希望情報の数が団体チケットを購入可能な所定の数を超えている場合に団体チケットの販売処理を行う団体チケット販売手段と、
購入参加希望情報記憶手段に記憶された購入参加希望情報の数が団体チケットを購入可能な所定の数に満たない場合に、所定の施設にて利用可能な個人チケットの購入を募集する個人チケット購入募集情報を利用者端末に通知する個人チケット購入募集手段と、
この個人チケット購入募集情報に対する個人チケットの購入申込情報を利用者端末から受信して、当該受信した利用者端末の利用者に対する個人チケットの販売処理を行う個人チケット販売手段と、
を実現するためのチケット販売用プログラムである。
【００１９】
上記構成の団体購入受付サーバ、チケット販売方法、チケット販売用プログラムであっても、上述したチケット販売システムと同様に作用するため、上述した本発明の目的を達成することができる。
【発明の効果】
【００２０】
本発明は、以上のように構成され機能するので、これによると、利用者は、団体チケットの販売に対して購入参加を希望した場合において、その参加数が少なく団体チケットを購入することができない場合であっても、継続して容易に個人チケットを購入することができ、そのため、施設への入場などを予定通り行うことができるため、利用者の利便性の向上を図ることができる、という従来にない優れた効果を有する。
【発明を実施するための最良の形態】
【００２１】
本発明は、団体チケットを購入する利用者を募集し、所定の数の参加希望があれば団体チケットの購入を行い、参加希望数が所定の数を満たさなければ個人チケットの購入を容易に行うことが可能となる点に特徴を有する。以下、実施例にてその構成及び動作を詳述する。なお、実施例においては、システムにて販売する団体チケット及び個人チケットは、遊園地などの入場券であることとし、このうち団体チケットは、所定の数の入場券をまとめて購入することで入場料の一部が割り引きとなるものを例示する。但し、チケットは遊園地などの入場券に限定されず、アミューズメントパークや美術館、水族館などの他の施設の入場券でもよく、また、入場券に限らず、各種割引券であってもよい。
【実施例１】
【００２２】
本発明の実施例を、図１乃至図１７を参照して説明する。図１は本発明であるチケット販売システムの全体構成を示すブロック図であり、図２は団体購入受付サーバの構成を示す機能ブロック図である。図３乃至図４はシステム全体の動作を示すシーケンス図であり、図５乃至図１０は各装置（サーバや端末）の動作を示すフローチャートである。図１１乃至図１７は、本システムにて利用される情報の様子を示す図である。
【００２３】
［構成］
本発明であるチケット販売システムは、図１に示すように、団体購入受付サーバ１と、当該サーバ１にネットワークＮを介して接続された、チケットセンター端末２、募集者端末３、利用者端末４と、により構成されている。そして、団体購入受付サーバ１によって、募集者端末３及び利用者端末４の操作者（募集者及び利用者）に対して、団体チケットあるいは個人チケットの販売が行われる。以下、各構成（サーバ１及び端末２，３，４）について詳述する。
【００２４】
＜利用者端末＞
利用者端末４は、一般の利用者が使用するパーソナルコンピュータなどの情報処理端末である。そして、この利用者端末４を利用する利用者は、インターネットなどのネットワークＮを介して団体購入受付サーバ１にアクセスし、当該端末４を用いて遊園地の入場チケットの購入を行う。
【００２５】
具体的には、利用者は、利用者端末４を用いて以下の操作を行うことができる。まず、利用者端末４は、利用者の氏名や住所、チケット購入時に使用するクレジット番号情報、利用者自身の趣味などの嗜好情報、購入を希望する遊園地のカテゴリ（募集カテゴリ）、利用者端末４へのメールアドレスなどのアドレス情報など、利用者の個人情報である利用者情報を送信して、会員情報として登録する。また、利用者端末４は、上記会員登録に応じて団体購入受付サーバ１からユーザＩＤやパスワードなどのログイン情報を受信し、かかる情報を利用者が保管しておく。これにより、利用者は、団体割引サーバ１に対してログインすることができる。
【００２６】
また、利用者端末４は、団体購入受付サーバ１から当該端末４のメールアドレス宛に送信された遊園地の団体チケットの購入募集情報を受信し（後述する図１１に示す「団体割引入場募集のお知らせ」を参照）、かかる募集に対して申し込み期限までに回答する事ができる。すなわち、かかる募集に対して、団体チケットの購入に参加することを希望する購入参加希望情報を送信することができる。そして、募集最低人数を満たせば、団体購入受付サーバ１から「団体チケット購入完了書」（後述する図１７参照）を受信することができる。なお、団体チケットは、募集者が遊園地に持っていくため、利用者は遊園地に行けばよいこととなる。
【００２７】
一方、団体購入受付サーバ１にて、団体チケットを購入するための募集最低人数を満たさなければ、当該団体購入受付サーバ１から個人チケットの購入募集情報である「個人別申し込みのお知らせ」（後述する図１２を参照）を受信し、それに対して購入するか否か申し込み期限までに回答する事ができる。回答が「申し込みをする」といった購入申込情報である場合には、団体購入受付サーバ１からチケットの発行依頼を受けたチケットセンター端末２から、「電子チケット送付案内」（後述する図１６）を受信することができる。そして、この「電子チケット送付案内」に含まれる電子チケットを印刷して遊園地に持参したり、利用者端末４を遊園地に持って行き電子チケットを表示して提示することで、入場することができる。
【００２８】
＜募集者端末＞
募集者端末３は、募集者が使用するパーソナルコンピュータなどの情報処理端末であり、上記利用者端末４と同様の構成である。なお、募集者は上記利用者の一部の者であり、単にその呼び方を変えているだけである。つまり、この募集者は、利用者のうち団体チケットを購入する者である。従って、上記利用者と募集者とは、特に区別する必要はないが、本実施例では説明の都合上、その端末も分けて説明する。
【００２９】
この募集者端末３は、上述した利用者端末４と同様に、団体購入受付サーバ１にアクセスし、会員登録を行い、ログイン情報を取得する。そして、団体購入受付サーバ１にアクセスして、団体チケットの購入募集情報を送信して登録を行う。例えば、この団体チケットの購入募集情報は、例えば、遊園地名（施設名）、施設のカテゴリ（遊園地など施設の種類）、チケットの種類（入場券など）、利用日時、団体購入可能人数（最低募集人数）、金額、などを登録する。
【００３０】
また、上記購入募集情報の登録後に購入参加が最低募集人数以上集まれば、団体購入受付サーバ１から「団体チケット購入完了書」（後述する図１７参照）を受信し、団体チケットの購入が可能であることを知ることができる。また、その後、チケットセンター端末２から「電子チケット送付案内」（後述する図１４参照）を受信することにより、団体用の電子チケットを当日チケットセンターに持参することができ、団体割引での入場が可能となる。
【００３１】
但し、自ら募集した団体チケットの購入募集に対して、最低募集人数に満たなかった場合には、団体購入受付サーバ１から「個人別申し込みのお知らせ」（後述する図１２参照）を受信し、団体割引の最低募集人数に満たなかった事を知ることができ、それに対して購入するか否か申し込み期限までに回答する事ができる。回答が「申し込みします」であれば、チケットセンター端末２より「電子チケット送付案内」（後述する図１６参照）を受信する事により、個人用の電子チケットを当日チケットセンターに持参する事ができ、通常での入場が可能となる。
【００３２】
＜チケットセンター端末＞
チケットセンター端末２は、チケット販売を行う業者やチケットを発行する遊園地自体が管理するパーソナルコンピュータなどの情報処理端末である。そして、団体購入受付サーバ１からチケットの発行依頼、すなわち、「団体チケット購入依頼書」（後述する図１３参照）あるいは「個人チケット申込書」（後述する図１５参照）を受信すると共に、募集者や利用者の会員情報を受信して、当該会員情報に基づいて募集者端末３あるいは利用者端末４に「電子チケット送付案内」（後述する図１４、１６）を作成して送付する。このとき、例えば、会員情報に含まれる各端末３，４へのメールアドレス宛に送信する。
【００３３】
また、このチケットセンター端末２は、チケットを発行した募集者や利用者に対して、受信した会員情報に含まれるクレジット番号などに基づいてチケット代の課金処理を行う。
【００３４】
＜団体購入受付サーバ＞
次に、団体購入受付サーバ１の構成に付いて、図２を参照して説明する。団体購入受付サーバ１は、チケット販売を業務とする業者にて運営されている一般的なサーバコンピュータである。そして、ハードディスクなどの記憶装置２０には、会員情報データベース２１、募集情報ＤＢ２２、参加情報ＤＢ２３、チケット情報ＤＢ２４が構築されており、後述するようにそれぞれに種々の情報が記憶される。また、ＣＰＵなどの演算装置１０には、チケット販売用プログラムが組み込まれることにより、会員登録処理部１１、ログイン処理部１２、団体希望受付処理部１３、団体募集処理部１４、団体チケット発行処理部１５、個人募集処理部１６、個人チケット発行処理部１７が構築されている。以下、各処理部１１〜１７、及び、各ＤＢ２１〜２４について詳述する。
【００３５】
会員登録処理部１１は、募集者端末３あるいは利用者端末４から、募集者あるいは利用者の氏名や住所、チケット購入時に使用するクレジット番号情報、募集カテゴリ、利用者自身の趣味などの嗜好情報、さらには、利用者端末のメールアドレスなどのアドレス情報など、利用者の個人情報を会員情報として受信し、ＩＤ及びパスワードからなるログイン情報を自動的に生成する。そして、上記会員情報とログイン情報を会員情報ＤＢ２１に格納すると同時に、募集者端末３あるいは利用者端末４に生成したログイン情報を送信する。
【００３６】
ログイン処理部１２は、募集者端末３あるいは利用者端末４からアクセスされた際にログイン情報を要求し、当該端末３，４からログインＩＤ、パスワードを受信する。そして、これら情報が会員情報ＤＢ２１内に登録されているか照合し、一致したときに団体購入受付サーバ１へのログインを許可する。なお、かかるログインが必要となるのは、主に募集者端末３からのアクセス時である。すなわち、団体チケットの購入募集情報を登録する募集者端末３からのアクセス時にログイン処理が必要となる。
【００３７】
団体希望受付処理部１３は、ログインした募集者端末３から団体チケットの購入募集情報を受信し、当該購入募集情報を募集情報ＤＢ２２に登録する。具体的には、募集者が購入を希望する団体チケットの詳細情報である、遊園地名（施設名）、施設のカテゴリ、チケットの種類（入場券）、利用日時、団体購入可能人数、金額、などを受信して、登録する。また、これと同時に、募集者自身を団体チケットの購入参加希望者の一人としてカウントし、かかる募集者の会員情報を参加者情報ＤＢ２３に登録する。なお、参加者情報ＤＢ２３には、各団体チケットの購入募集情報ごとに、会員情報が関連付けられて記憶されることとなる。
【００３８】
団体募集処理部１４（団体チケット販売手段）は、募集情報ＤＢ２２に登録されている団体チケットの購入募集情報を読み出し、購入募集情報に含まれる施設のカテゴリと、会員情報に含まれる施設カテゴリとが一致する会員を、会員情報ＤＢ２１から抽出する。そして、その会員の利用者端末４のメールアドレス宛に、この購入募集情報の内容を表す「団体割引入園募集のお知らせ」（後述する図１１参照）を、購入募集情報に基づいて自動作成して送信する。このとき、上記生成される「団体割引入園募集のお知らせ」は、上記購入募集情報と各施設のチケットに関する情報が予め記憶されたチケット情報ＤＢ２４内の情報とを参照して生成される。具体的には、募集者にて登録された購入募集情報とチケット情報ＤＢ２４との一部が一致したチケット情報（レコード）を読み出し、かかるレコードを参照して、最低募集人数やチケットの値段などが設定され、上記「お知らせ」が生成される。
【００３９】
また、団体募集処理部１４は、上記購入募集に対する回答を、利用者端末４から受信する。そして、申し込み期限まで回答が「参加します」（購入参加希望情報）である利用者端末４の会員情報を参加情報ＤＢ２３（購入参加希望情報記憶手段）に格納する。そして、上記利用者端末４からの回答を申込期限まで受け付け、当該申し込み期限を過ぎた時点で、参加情報ＤＢ２３内に格納された人数、すなわち、団体チケットの購入募集を行った募集者と、これに対して購入参加希望を回答した利用者と、の人数をカウントし、団体チケットを購入するために必要な最低募集人数に達しているか否かを調べる。そして、最低募集人数に達している場合には、団体チケット発行処理部１５に通知し、達していなかった場合には個人募集処理部１６に通知する。
【００４０】
団体チケット発行処理部１５（団体チケット販売手段）は、上記団体募集処理部１４から団体チケットの購入希望が最低募集人数に達している旨の通知を受けると、購入募集情報及びチケット情報ＤＢ２４内の情報に基づいて「団体チケット購入依頼書」（後述する図１３参照）を自動作成し、募集者３及び購入希望した利用者４の会員情報と共にチケットセンター端末２に送信する。同時に「団体チケット購入完了書」（後述する図１４参照）も自動作成し、募集者端末３と利用者端末４とのメールアドレス宛に送信して、団体チケットの購入が行われる旨の通知を行う。
【００４１】
個人募集処理部１６（個人チケット購入募集手段）は、上記団体募集処理部１４から団体チケットの購入希望が最低募集人数に達していない旨の通知を受けると、団体チケットと同一の施設（遊園地）にて利用可能な個人チケットの購入を募集する個人チケット購入募集情報である「個人別申し込みのお知らせ」（後述する図１２参照）を自動作成し、募集者端末３と利用者端末４とのメールアドレス宛に送信する。そして、かかるお知らせに対して、募集者端末３あるいは利用者端末４から個人チケットの購入を「申し込みます」という旨の回答（購入申込情報）を受信すると、その旨を個人チケット発行処理部１７に通知する。
【００４２】
個人情報発行処理部１７（個人チケット販売手段）は、個人チケットの購入を希望する募集者端末３あるいは利用者端末４の会員情報２１に基づいて、当該会員情報を含む「個人チケット申込書」（後述する図１５参照）を作成し、チケットセンター端末２へ送信する。
【００４３】
［動作］
次に、上記システムの動作について、図３乃至図１７を参照して説明する。図３乃至図４は、システム全体の動作を示すシーケンス図である。図５は、利用者端末４の動作を示し、図６は募集者端末３の動作を示すフローチャートである。図７乃至図９は団体購入受付サーバ１の動作を示すフローチャートであり、図１０はチケットセンター端末２の動作を示すフローチャートである。図１１乃至図１７は、システムにおいて使用されるデータの一例を示す図である。以下、動作説明では、主に図３乃至図４のシーケンス図を参照してシステム全体の動作を説明すると共に、他のフローチャートを参照して各動作の詳細を説明する。
【００４４】
まず、募集者端末３及び利用者端末４は、インターネットＮを介して団体購入受付サーバ１にアクセスし、会員登録を行うべく会員情報を送信する（図３のステップＳ１、ステップＳ１１）。具体的には、募集者や利用者が会員登録をしていない場合には（図５のステップＳ５１にて肯定判断）、メールアドレスなどの個人情報を会員情報として送信する（図５のステップＳ５２）。なお、図６の募集者端末３の動作には会員登録動作を図示していないが、利用者端末４と同様である。
【００４５】
そして、上記会員情報の送信を受けた団体購入受付サーバ１は、募集者あるいは利用者の会員情報を登録し（図３のステップＳ２、ステップＳ１２）、ログイン情報を返送して、会員登録が完了した通知を行う（図３のステップＳ３、ステップＳ１３）。具体的には、図７に示すように、会員情報の登録にあたって会員情報を受信すると（図７のステップＳ１０１にて肯定判断）、会員ＮＯ（００１）、ログインＩＤ（ＨＪＫＫ）、パスワード（ＸＸＸＸ）を自動採番し（図７のステップＳ１０２）、会員情報ＤＢ２１に格納すると共に（図７のステップＳ１０３）、利用者端末４（真須美）のメールアドレス(MASUMI@JP)に、これらの情報（ログイン情報）（会員ＮＯ、ログインＩＤ、パスワード）を送信する（図７のステップＳ１０４）。
【００４６】
こうして、会員情報の登録が完了すると、利用者端末４はログイン情報を受信し（図５のステップＳ５３）、これを保持しておく。なお、募集者端末３も同様である。
【００４７】
続いて、会員登録した利用者のうち、募集者となりうる者が団体チケットの購入の募集を行う場合を説明する。上述したように会員登録を行った募集者端末３（００２：あきお）は、団体購入受付サーバ１にアクセスしてログイン情報を送信し、ログイン処理を行う（図６のステップＳ７１）。かかるログイン情報を受け付けた団体購入受付サーバ１は（図７のステップＳ１０５にて肯定判断）、ログインＩＤ、パスワードを会員情報ＤＢ２１内の情報と照合して一致した場合に（図７のステップＳ１０６）、募集者端末３（００２：あきお）のログインを許可する（図７のステップＳ１０７、図６にてステップＳ７２にて肯定判断）。
【００４８】
ログインが許可された募集者端末３０（００２：あきお）は、団体購入募集情報を団体購入受付サーバ１へ送信する（図３のステップＳ２１、図６のステップＳ７３）。そして、かかる団体購入募集情報を受け付けた団体購入受付サーバ１は（図７のステップＳ１０８）、団体購入募集情報に募集ＮＯを自動採番して、募集情報ＤＢ２２に格納する（図３のステップＳ２２、図７のステップＳ１０９）。さらに、団体購入受付サーバ１は、参加情報ＤＢ２３に募集者端末３０（００２：あきお）を参加者情報として格納する（図７のステップＳ１１０）。
【００４９】
続いて、上記団体購入募集情報を受け付けた団体購入受付サーバ１は、チケット情報ＤＢ２４の“種別”が“団体”であるレコードの“入園施設名”“券種”“区分”と、登録された募集情報ＤＢ２２の購入募集情報に含まれる“入園施設名”“券種”“区分”を照合し、一致したチケット情報ＤＢ２４のレコードを選択する（図７のステップＳ１１１、ステップＳ１１２にて肯定判断後にステップＳ１１３）。さらに、募集情報ＤＢ２２の“日付（７／３０）”により申し込み期限を自動設定し（例えば、「７日前」）（図７のステップＳ１１４）、図１１に示す「団体割引入園募集のお知らせ」のデータを自動作成する（図７のステップＳ１１５）。そして、作成後に、団体購入受付サーバ１は、会員情報ＤＢ２１内の各会員情報の“募集カテゴリ”と、募集情報ＤＢ２２内の購入募集情報の“募集カテゴリ”（遊園地）を照合し（図７のステップＳ１１６）、一致した会員情報のうち（図７のステップＳ１１７にて肯定判断）、募集者端末３（００２：あきお）を除いた利用者端末４（００１：真須美、００４：さおり）の会員情報を、会員情報ＤＢ２１から抽出する（図７のステップＳ１１７にて肯定判断後、ステップＳ１１８）。その後、この抽出した会員情報に登録された各利用者のメールアドレス宛に、上記作成した「団体割引入園募集のお知らせ」を送信する（図３のステップＳ２３、図７のステップＳ１１９）。
【００５０】
これに対して、利用者端末４（００１：真須美、００４：さおり）は、「団体割引入園募集のお知らせ」を受信し（図５のステップＳ５４にて肯定判断）、申し込み期限までに（図５のステップＳ５５にて肯定判断）、回答欄（１．参加します  ２．参加しません）に入力して団体チケットの購入参加希望情報を団体購入受付サーバ１へ送信する（図３のステップＳ２４、図５のステップＳ５６）。
【００５１】
続いて、団体購入受付サーバ１は、申し込み期限となるまで（図８のステップＳ１２１）利用者端末４から回答を受信し（図８のステップＳ１２２）、回答欄が「１．参加します」の利用者端末４（００１：真須美、００４：さおり）の会員情報ＤＢ２１の内容を参加者情報として参加情報ＤＢ２３に格納する（図８のステップＳ１２３にて肯定判断後にステップＳ１２４）。その後、申し込み期限が経過すると（図８のステップＳ１２１にて肯定判断）、回答の集計を行う（図３のステップＳ２５）。具体的には、参加情報ＤＢ２３に記憶されているレコードをカウントして、“現在人数“欄に格納し、参加情報ＤＢ２３の“現在人数“と、団体チケットを購入可能な”最低募集人数“を比較する（図８のステップＳ１２５）。
【００５２】
上記比較の結果、参加人数が最低募集人数を超えている場合を、図４（ａ）のシーケンス図を参照して説明する。“現在人数＞＝最低募集人数”の場合には（図８のステップＳ１２６にて肯定判断）、団体購入受付サーバ１は、現在の人数が最低募集人数（３０人以上）に満たしたことを確認し、参加情報ＤＢ２３より利用者端末４（００１：真須美  ００４：さおり）の情報を抽出し（図８のステップＳ１２７）、募集情報ＤＢ２２のデータを元に図１３に示す「団体チケット購入依頼書」を作成する（図８のステップＳ１２８、Ｓ１２９）。すなわち、図１３に示すように、団体購入に参加した利用者及び募集者のメールアドレスなどの会員情報を含めた「団体チケット購入依頼書」を作成する。そして、「団体チケット購入依頼書」を、チケット情報ＤＢ２４に登録してあるチケットセンター端末２の“申込み先メールアドレス（ＴＤＬ＠ｃｏ．ｊｐ）“に送信する（図８のステップＳ１２９、図４（ａ）のステップＳ３１）。また、団体購入受付サーバ１は、募集情報ＤＢ２２と参加情報ＤＢ２３とに基づいて、図１７に示す「団体チケット購入処理完了書」を自動作成する（図８のステップＳ１３０、Ｓ１３１）。そして、この「団体チケット購入処理完了書」を、利用者端末４（００１：真須美  ００４：さおり）と募集者端末３（００２：あきお)のそれぞれのメールアドレスに送信する（図８のステップＳ１３１、図４（ａ）のステップＳ３２）。これにより、利用者端末４（００１：真須美  ００４：さおり）と募集者端末３（００２：あきお)は、「団体チケット購入処理完了書」を受信することができ（図５のステップＳ５７にて肯定判断、図６のステップＳ７４にて肯定判断）、団体割引でチケットを購入できたことを知ることができる。
【００５３】
また、チケットセンター端末２は、団体購入受付サーバ１から「団体チケット購入依頼書」を受信し（図１０のステップＳ１６１にて肯定判断）、図１４に示す「電子チケット送付案内」を作成して、募集者端末３（００２：あきお）のメールアドレス(AKIO@JP)へ送信する（図１０のステップＳ１６２、図４（ａ）のステップＳ３３）。すると、募集者端末３（００２：あきお）は、電子チケットを受信することができる（図６のステップＳ７５）。その後は、募集者及び団体購入を行った利用者は、当日（７／３０）に集合場所へ規定の時間に集合し、募集者が利用者を予定の３０人集めたら、ディズニーランドのチケット販売窓口にて事前に印刷して持参した「電子チケット送付案内（図１４参照）」の提示、もしくは、携帯機器にてそれを表示提示し、３０人分のチケットと引き換えできる。これにより、利用者、募集者とも格安の団体割引にて入場することができる。
【００５４】
次に、団体チケットの参加者が最低募集人数に満たなかったときの動作を、図４（ｂ）を参照して説明する。図８のステップＳ１２６において、“現在人数＜最低募集人数”の場合には（否定判断）、団体購入受付サーバ１は、現在の人数が最低募集人数（３０人）に満たない事を確認し、チケット情報ＤＢ２４より“種別（個人）”“入園施設名（ディズニーランド）”を選択する（図９のステップＳ１４１）。そして、募集情報ＤＢ２２の“日付（７／３０）”により申し込み期限を自動設定（例えば、４日前）し（図９のステップＳ１４２）、募集情報ＤＢ２３と参加情報ＤＢ２３に基づいて、図１２に示す「個人別申し込みのお知らせ」を自動作成する（図９のステップＳ１４３、Ｓ１４４）。作成後は、参加情報ＤＢ２３の利用者端末４（００１：真須美  ００４：さおり）と募集者端末３（００２：あきお）のメールアドレスに送信する（図９のステップＳ１４４、図４（ｂ）のステップＳ４１）。ここで、上記「個人別申し込みのお知らせ」を送信する利用者端末４あるいは募集者端末３は、参加情報ＤＢ２３に登録されている端末３，４に限定されず、会員登録されている他の利用者等の端末３，４に送信してもよい。
【００５５】
これに対して、上記「個人別申し込みのお知らせ」を受信した利用者端末４（００１：真須美  ００４：さおり）と募集者端末３（００２：あきお）は（図５のステップＳ５８、図６のステップ７６）、申し込み期限までに（図５のステップＳ５９、図６のステップＳ７７）、回答欄に「１．申し込みしません  ２．申し込みします」を入力して団体購入受付サーバ１へ送信する（図５のステップＳ６０、図６のステップＳ７８、図４（ｂ）のステップＳ４２、Ｓ４３）。
【００５６】
団体購入受付サーバ１では、個人購入の申し込み期限が経過するまで（図９のステップＳ１４５）、上記利用者端末４あるいは募集者端末３から個人購入の申し込み回答を受信する（図９のステップＳ１４６）。そして、その回答が“１．申し込みしません”の場合には（図５のステップＳ６１にて否定判断、図６のステップＳ７９にて否定判断、図９のステップＳ１４７にて肯定判断）、団体購入受付サーバ１は、回答を受信し申し込み期限までに回答のあった利用者端末４（００１：真須美  ００４：さおり）もしくは募集者端末３（００２：あきお）の参加情報ＤＢ２３の各レコードの”個別申込”欄に“×”を格納し（図９のステップＳ１４８）、処理は終了する。
【００５７】
一方、上記利用者端末４あるいは募集者端末３から個人購入の申し込み回答が“２．申し込みします”である場合には（図５のステップＳ６１にて肯定判断、図６のステップＳ７９にて肯定判断、図９のステップＳ１４７にて否定判断）、団体購入受付サーバ１は、申し込み期限までに回答のあった利用者端末４（００１：真須美  ００４：さおり）、もしくは、募集者端末３（００４：あきお）の参加情報ＤＢ２３のレコードの“個別申込”欄に“○”を格納する（図９のステップＳ１４９）。格納後、“個別申込”欄が“○”の利用者端末４もしくは募集者端末３を参加者ＤＢ２３から抽出し（図９のステップＳ１５０）、募集情報ＤＢ２２の内容に基づいて（図９のステップＳ１５１）、図１５に示す「個人チケット申込書」を自動作成し、チケット情報ＤＢ２４に登録してあるチケットセンター端末２の“申込み先メールアドレス（ＴＤＬ＠ｃｏ．ｊｐ）“に送信する（図９のステップＳ１５２、図４（ｂ）のステップＳ４４）。そして、かかる処理を、申し込み期限まで繰り返す（図９のステップＳ１４５）。
【００５８】
そして、チケットセンター端末２は、図１５に示す「個人チケット申込書」を団体購入受付サーバ１から受信すると（図１０のステップＳ１６３）、図１６に示す「電子チケット送付案内」を対象となる利用者端末４もしくは募集者端末３毎に作成し、個々のメールアドレスへ送信する（図１０のステップＳ１６４、図４（ｂ）のステップＳ４５）。すると、利用者端末４、もしくは、募集者端末３は、「電子チケット送付案内」をチケットセンター端末２から受信することができる（図５のステップＳ６２、図６のステップＳ８０）。そして、当日（７／３０）に、ディズニーランドのチケット販売窓口にて事前に印刷して持参した「電子チケット送付案内」の提示、もしくは、携帯機器にてそれを表示提示し、個人用のチケットと引き換えすることができる。
【００５９】
ここで、上記では、団体チケットや個人チケットはチケットセンター端末２から発行される場合を例示したが、これに限定されず、団体購入受付サーバ１が直接、募集者端末３や利用者端末４に対して発行して送信してもよい。
【００６０】
以上、本発明によると、まず、団体購入受付サーバ１によって利用者端末４に対して団体チケットの購入が募集され、かかる購入に参加する者が所定の数以上であると、団体チケットの販売が行われ、割引などの特典を受けることができる団体チケットを利用することができる。一方で、団体購入への参加者の数が団体購入可能な数に満たない場合であっても、個人チケットの購入が募集され、これに対して購入を申し込むことで、個人チケットの販売が行われる。従って、利用者は、団体チケットを購入することができない場合であっても、事前に容易に個人チケットを購入することができ、施設への入場などを予定通り行うことができる。
【産業上の利用可能性】
【００６１】
本発明は、遊園地などのチケットをネットワークを介して販売するシステムとして利用することができ、産業上の利用可能性を有する。
【図面の簡単な説明】
【００６２】
【図１】本発明であるチケット販売システムの全体構成を示すブロック図である。
【図２】団体購入受付サーバの構成を示す機能ブロック図である。
【図３】チケット販売システムの動作を示すシーケンス図である。
【図４】チケット販売システムの動作を示すシーケンス図であり、図４（ａ）は団体チケット販売時の動作を示し、図４（ｂ）は個人チケット販売時の動作を示す。
【図５】利用者端末の動作を示すフローチャートである。
【図６】募集者端末の動作を示すフローチャートである。
【図７】団体購入受付サーバの動作を示すフローチャートである。
【図８】団体購入受付サーバの動作を示すフローチャートである。
【図９】団体購入受付サーバの動作を示すフローチャートである。
【図１０】チケットセンター端末の動作を示すフローチャートである。
【図１１】チケット販売システムにおいて使用されるデータの一例を示す図である。
【図１２】チケット販売システムにおいて使用されるデータの一例を示す図である。
【図１３】チケット販売システムにおいて使用されるデータの一例を示す図である。
【図１４】チケット販売システムにおいて使用されるデータの一例を示す図である。
【図１５】チケット販売システムにおいて使用されるデータの一例を示す図である。
【図１６】チケット販売システムにおいて使用されるデータの一例を示す図である。
【図１７】チケット販売システムにおいて使用されるデータの一例を示す図である。
【符号の説明】
【００６３】
１  団体購入受付サーバ
２  チケットセンター端末
３  募集者端末
４  利用者端末
１１  会員登録処理部
１２  ログイン処理部
１３  団体希望受付処理部
１４  団体募集処理部（団体チケット販売手段）
１５  団体チケット発行処理部（団体チケット販売手段）
１６  個人募集処理部（個人チケット購入募集手段）
１７  個人チケット発行処理部（個人チケット販売手段）
２１  会員情報ＤＢ（利用者情報記憶手段）
２２  募集情報ＤＢ
２３  参加情報ＤＢ（購入参加希望情報記憶手段）
２４  チケット情報ＤＢ
【図１】
2006190148.tif 000003
【図２】
2006190148.tif 000004
【図３】
2006190148.tif 000005
【図４】
2006190148.tif 000006
【図５】
2006190148.tif 000007
【図６】
2006190148.tif 000008
【図７】
2006190148.tif 000009
【図８】
2006190148.tif 000010
【図９】
2006190148.tif 000011
【図１０】
2006190148.tif 000012
【図１１】
2006190148.tif 000013
【図１２】
2006190148.tif 000014
【図１３】
2006190148.tif 000015
【図１４】
2006190148.tif 000016
【図１５】
2006190148.tif 000017
【図１６】
2006190148.tif 000018
【図１７】
2006190148.tif 000019